(57)【要約】      （修正有）【課題】一時的にごみの投入を防ぐことができるダストボックスを提供する。【解決手段】ゴミを収容するダストボックス本体部１１ａと、ゴミを入れる開口部を有するゴミ投入部１１ｂとを備えたダストボックスであって、ダストボックス不使用のときに、開口部を内側から覆う遮蔽板１５−１と、開口部を覆った状態で遮蔽板を固定する支持部材１４−１と、を備える。ダストボックスは、ゴミ投入部の内壁に取り付けられ、遮蔽板を回動可能に支持する回動支持部材（蝶番）を備え、支持部材は、回動支持部材を中心に回動して開口部を覆った状態の遮蔽板を固定する。【選択図】図１
0003221716.tif 000002
【実用新案登録請求の範囲】
【請求項１】
ゴミを収容するダストボックス本体部と、ゴミを入れる開口部を有するゴミ投入部とを備えたダストボックスであって、
ダストボックス不使用のときに、前記開口部を内側から覆う遮蔽板と、
前記開口部を覆った状態で前記遮蔽板を固定する支持部材と、
を備えたダストボックス。
【請求項２】
請求項１に記載のダストボックスにおいて、前記ゴミ投入部の内壁に取り付けられ、前記遮蔽板を回動可能に支持する回動支持部材を備え、前記支持部材は、前記回動支持部材を中心に回動して前記開口部を覆った状態の前記遮蔽板を固定する、ダストボックス。
【請求項３】
請求項１又は２に記載のダストボックスにおいて、前記ダストボックス本体部の複数の側面のうち少なくとも１つは透明部を有する、ダストボックス。
【請求項４】
請求項１から３のいずれか１項に記載のダストボックスにおいて、前記ゴミ投入部は屋根型形状であり、前記開口部は前記ゴミ投入部の２つの傾斜面のそれぞれに形成されている、ダストボックス。
【請求項５】
請求項１から３のいずれか１項に記載のダストボックスにおいて、前記ゴミ投入部は前記開口部が形成された１つの傾斜面を備えている、ダストボックス。
【考案の詳細な説明】
【技術分野】
【０００１】
本考案は、ダストボックス（ゴミ箱ともいう）に係り、特にゴミを収容するダストボックス本体部と、ゴミを入れる開口部を有するゴミ投入部とを備えたダストボックスに関する。
【背景技術】
【０００２】
従来より、上部にゴミを入れる開口部を備えたダストボックスは、例えば、駅構内、公園等で用いられており、特許文献１に記載されたゴミ箱がある。
特許文献１に記載されたゴミ箱は、プラスチック段ボール製のゴミ箱本体と、このゴミ箱本体の開口部を覆うプラスチック段ボール製の蓋体とを備え、これらゴミ箱本体及び蓋体が、略平板状に折り畳み可能とされている。そして蓋体に、ゴミ投入口が形成されている。
【先行技術文献】
【特許文献】
【０００３】
【特許文献１】実用新案登録第３０８０２６４号公報
【考案の概要】
【考案が解決しようとする課題】
【０００４】
ダストボックスは、危険物が入れられたり、投入されるべきでない家庭ごみが入れられたりする場合があり、これらを規制するために一時的にダストボックスを撤去せざるを得ない場合があった。
【０００５】
本考案は、一時的にごみの投入を防ぐことができるダストボックスを提供することを目的とする。
【課題を解決するための手段】
【０００６】
（１）  本考案に係るダストボックスは、ゴミを収容するダストボックス本体部と、ゴミを入れる開口部を有するゴミ投入部とを備えたダストボックスであって、
ダストボックス不使用のときに、前記開口部を内側から覆う遮蔽板と、
前記開口部を覆った状態で前記遮蔽板を固定する支持部材と、
を備えたダストボックスである。
【０００７】
（２）  上記（１）のダストボックスにおいて、前記ゴミ投入部の内壁に取り付けられ、前記遮蔽板を回動可能に支持する回動支持部材を備え、前記支持部材は、前記回動支持部材を中心に回動して前記開口部を覆った状態の前記遮蔽板を固定してもよい。
【０００８】
（３）  上記（１）又は（２）のダストボックスにおいて、前記ダストボックス本体部の複数の側面のうち少なくとも１つは透明部を有してもよい。
【０００９】
（４）  上記（１）から（３）のいずれかのダストボックスにおいて、前記ゴミ投入部は屋根型形状であり、前記開口部は前記ゴミ投入部の２つの傾斜面のそれぞれに形成されていてもよい。
【００１０】
（５）  上記（１）から（３）のいずれかのダストボックスにおいて、前記ゴミ投入部は前記開口部が形成された１つの傾斜面を備えていてもよい。
【考案の効果】
【００１１】
本考案によれば、一時的にごみの投入を防ぐことができるダストボックスを提供することができる。
【図面の簡単な説明】
【００１２】
【図１】本考案の第１実施形態のダストボックスの構成を示す斜視図である。
【図２】図１に示したダストボックスの上面図である。
【図３】図１のＸ−Ｘ断面を示す図である。
【図４】本考案の第２実施形態のダストボックスの構成を示す斜視図である。
【図５】図４示したダストボックスの上面図である。
【図６】本考案の第３実施形態のダストボックスの遮蔽板支持構成を示す斜視図である。
【考案を実施するための形態】
【００１３】
以下、本考案の実施形態について図面を用いて詳細に説明する。
（第１実施形態）
図１は本考案の第１実施形態のダストボックスの構成を示す斜視図である。図２は図１に示したダストボックスの上面図、図３は図１のＸ−Ｘ断面を示す図である。
図１及び図２に示すように、本第１実施形態のダストボックス（ゴミ箱ともいう）１０は、ゴミを収容する直方体形状のダストボックス本体部１１ａと、三角柱形状のゴミ投入部１１ｂとを備えている。なお、ダストボックス本体部１１ａの形状は特に直方体に限定されず、例えば五角柱であってもよい。また、ゴミ投入部１１ｂの形状は三角柱形状に限定されず、例えば、かまぼこ型であってもよい。なお、ゴミ投入部１１ｂの形状がかまぼこ型である場合、後述する遮蔽板１５−１、１５−２は湾曲させることが好ましい。
【００１４】
ダストボックス本体部１１ａは４つの側面と底面からなり、４つの側面はそれぞれ開口されてポリカーボネート等の透明板１２−１〜１２−４が貼られて透明部が設けられており、内部が外部から確認できるようになっている。なお、側面の開口は少なくとも１つの側面が開口されていればよく、必ずしも４つの側面を開口する必要はない。
【００１５】
４つの側面の一つは扉１１ａｆを備えており、扉１１ａｆを開閉してダストボックス本体部１１ａ内のゴミを取り出し可能となっている。扉１１ａｆには鍵１３が取り付けられており、施錠可能となっている。鍵１３は、例えば、コインロックと呼ばれる、自動販売機、ゲーム機などのコインを扱う機器に設置するための錠前を用いることができる。コインロックは鍵を挿入して回転させることで、止め金部分が回転する。本実施形態ではコインロックの止め金部分で扉１１ａｆを固定している。
なお、透明板１２−１〜１２−４を通して内部が確認できるため、内部確認のために扉１１ａｆを開ける必要はない。また、鍵１３で施錠可能なので、危険物や大きなゴミを側面から挿入することを防止できる。
ダストボックス１０の材質は特に限定されないが、衝撃に強いステンレスが好適に用いられる。
【００１６】
ゴミ投入部１１ｂは屋根型形状となっており、図２に示すように、２つの傾斜面にゴミを入れる開口部１６−１〜１６−４が設けられている。ゴミ投入部１１ｂの縦断面形状は２等辺三角形である。開口部１６−１及び１６−２の下方には遮蔽板１５−１が蝶番１７−１、１７−２でゴミ投入部１１ｂの内側に取り付けられている。また、開口部１６−３及び１６−４の下方には遮蔽板１５−２が蝶番１７−３、１７−４でゴミ投入部１１ｂの内側に取り付けられている。支持部材１４−１は、開口部１６−１及び１６−２の間で、開口部１６−１及び１６−２の上方に設けられる。支持部材１４−２は、開口部１６−３及び１６−４の間で、開口部１６−３及び１６−４の上方に設けられる。蝶番１７−１〜１７−４はゴミ投入部１１ｂの内壁に取り付けられ、遮蔽板１５−１、１５−２を回動可能に支持する回動支持部材となる。
【００１７】
遮蔽板１５−１は、ダストボックス１０の使用時には、図１及び図３に示すように、蝶番１７−１、１７−２から重力方向に垂れ下がる。このとき、ゴミは開口部１６−１及び１６−２を通して、ダストボックス１０内に投入可能となる。
一方、遮蔽板１５−１は、ダストボックス１０の不使用時には、図３に示すように、蝶番１７−１、１７−２を中心として回転（回動）し、図２に示すように、傾斜面にほぼ平行となるように支持部材１４−１で支持され、開口部１６−１及び１６−２を覆った状態で固定される。このとき、遮蔽板１５−１は開口部１６−１及び１６−２をゴミ投入部１１ｂの内側から覆うために、ゴミ又は危険物はダストボックス１０内に投入することができない。支持部材１４−１は、開口部１６−１及び１６−２を覆った状態で遮蔽板１５−１を固定する。
【００１８】
遮蔽板１５−２も遮蔽板１５−１と同様に動作する。支持部材１４−２はダストボックス１０の不使用時に遮蔽板１５−２を傾斜面にほぼ平行となるように支持し、開口部１６−３及び１６−３を覆った状態で遮蔽板１５−２を固定する。
【００１９】
支持部材１４−１及び１４−２は、例えば、コインロックと呼ばれる、自動販売機、ゲーム機などのコインを扱う機器に設置するための錠前を用いることができる。コインロックは鍵を挿入して回転させることで、止め金部分が回転する。本実施形態ではコインロックの止め金部分で遮蔽板１５−１、１５−２を固定している。
【００２０】
本実施形態では、遮蔽板１５−１及び１５−２と接続する蝶番１７−１〜１７−４が開口部１６−１〜１６−４の下方に設けられ、遮蔽板１５−１及び１５−２を支持する支持部材１４−１、１４−２が開口部１６−１〜１６−４の上方に設けられているが、蝶番１７−１〜１７−４が開口部１６−１〜１６−４の上方に設けられ、支持部材１４−１、１４−２が開口部１６−１〜１６−４の下方に設けられてもよい。
また、ゴミ投入部１１ｂの２つの傾斜面のそれぞれの傾斜面には、２つの開口部が設けられているが、開口部の数は２つに限定されず、１つ又は３つ以上であってもよい。また、開口部を複数設けた場合、開口部ごとにゴミの種類を限定しもよい。例えば、ビン及びカン用の開口部、ペットボトル用の開口部、紙ごみ用の開口部等に分けることができる。
さらに、本実施形態では、１つの遮蔽板を用いて２つの開口部を塞いでいるが、各開口部に対してそれぞれ遮蔽板を設けてもよい。
【００２１】
（第２実施形態）
図４は本考案の第２実施形態のダストボックスの構成を示す斜視図である。図５は図１に示したダストボックスの上面図である。
本第２実施形態のダストボックス２０が、第１実施形態のダストボックス１０と異なる点は、図４及び図５に示すように、三角柱形状のゴミ投入部２１ｂの構成にある。図４に示す、ダストボックス２０のダストボックス本体部の構成はダストボックス本体部１１ａと同じなので、図１〜図３と同一符号を付して説明を省略する。
【００２２】
ゴミ投入部２１ｂは１つの傾斜面に２つの開口部２６−１、２６−２が設けられており、縦断面形状は直角三角形となっている。
図４及び図５に示す、ダストボックス２０の支持部材２４、遮蔽板２５、及び蝶番２７−１、２７−２はダストボックス１０の支持部材１４−１、遮蔽板１５−１、及び蝶番１７−１、１７−２に対応しており、同一の部材を用いることができる。
【００２３】
本実施形態においても第１実施形態と同様に、遮蔽板２５と接続する蝶番２７−１、２７−２が開口部２６−１、２６−２の下方に設けられ、遮蔽板２５を支持する支持部材２４が開口部２６−１、２６−２の上方に設けられているが、蝶番２７−１、２７−２が開口部２６−１、２６−２の上方に設けられ、支持部材２４が開口部２６−１、２６−２の下方に設けられてもよい。
【００２４】
また、ゴミ投入部２１ｂに１つ設けられた傾斜面には、２つの開口部が設けられているが、開口部の数は２つに限定されず、１つ又は３つ以上であってもよい。また、開口部を複数設けた場合、開口部ごとにゴミの種類を限定しもよい。例えば、ビン及びカン用の開口部、ペットボトル用の開口部、紙ごみ用の開口部等に分けることができる。
さらに、１つの遮蔽板を用いて２つの開口部を塞いでいるが、各開口部に対してそれぞれ遮蔽板を設けてもよい。
【００２５】
（第３実施形態）
第１実施形態及び第２実施形態では、遮蔽板は、ダストボックスの使用時には、蝶番から重力方向に垂れ下がり、ダストボックスの不使用時には、支持部材で支持されて開口部を塞いでいた。しかし、ダストボックスの不使用時に、支持部材で遮蔽板を支持して開口部を塞げる構成であれば、第１実施形態及び第２実施形態の構成に限定されない。
以下の説明では第１実施形態に本実施形態の構成を適用した例について説明するが、第２実施形態にも本実施形態が適用可能であることは勿論である。
【００２６】
図６は本考案の第３実施形態のダストボックスの遮蔽板支持構成を示す斜視図である。図６では、遮蔽板３１及び移動支持部材３２は垂直に示されているが、実際はゴミ投入部１１ｂの傾斜面に沿って設けられる。
本実施形態では、左右両端が「Ｌ」字状で、底面を有する移動支持部材３２で、遮蔽板３１を上下方向に移動可能とする。ここでは、ゴミ投入部１１ｂの２つの傾斜面のうちの一方の傾斜面についてのみ説明するが、他方の傾斜面についても同様な構成とする。
ダストボックスの使用時には、移動支持部材３２の底面３２ａまで遮蔽板３１を下げて、開口部１６−１、１６−２を露出させて、ゴミを開口部１６−１及び１６−２を通して、ダストボックス１０内に投入可能とする。
一方、ダストボックスの不使用時には、遮蔽板３１で開口部１６−１及び１６−２を覆う位置まで、遮蔽板３１を上げて、遮蔽板３１の突出し部３１ａを支持部材３３の「Ｌ」字部分で引っかけて遮蔽板３１を固定する。支持部材３３は、例えば、止め金が「Ｌ」字状のコインロックを用いることができる。
【００２７】
本実施形態においても、ゴミ投入部１１ｂの２つの傾斜面のそれぞれの傾斜面には、２つの開口部が設けられているが、開口部の数は２つに限定されず、１つ又は３つ以上であってもよい。また、開口部を複数設けた場合、開口部ごとにゴミの種類を限定しもよい。例えば、ビン及びカン用の開口部、ペットボトル用の開口部、紙ごみ用の開口部等に分けることができる。
さらに、本実施形態では、１つの遮蔽板を用いて２つの開口部を塞いでいるが、各開口部に対してそれぞれ遮蔽板を設けてもよい。
【００２８】
上述した各実施形態は、本考案の好適な実施形態ではあるが、上記実施形態のみに本考案の範囲を限定するものではなく、本考案の要旨を逸脱しない範囲において種々の変更を施した形態での実施が可能である。
【符号の説明】
【００２９】
１０、２０  ダストボックス
１１ａ  ダストボックス本体部
１１ｂ  ゴミ投入部
１４−１、１４−２、２４、３３  支持部材
１５−１、１５−２、２５、３１  遮蔽板
【図１】
0003221716.tif 000003
【図２】
0003221716.tif 000004
【図３】
0003221716.tif 000005
【図４】
0003221716.tif 000006
【図５】
0003221716.tif 000007
【図６】
0003221716.tif 000008